(57)【要約】【課題】例えば、ＬＥＤランプを用いた場合にＬＥＤランプの直上部に位置する部分の輝度が高いことによる輝度むらを低減して内面の輝度の均一化を図ることができ、しかも小型化に寄与する導光部材を提供する。【解決手段】光源４４から一方の主面４８Ｂに入射された光が他方の主面４８Ａから出射される面状の導光部材７０であって、隣接する側面４８Ｅ，４８Ｆ同士を互いに突き合わせて併設された複数の分割体４８により一枚の板状の導光部材７０となされ、複数の分割体４８の個々の互いに対向する第一の側面４８Ｃ，４８Ｄが略平行四辺形形状であり、複数の分割体４８の個々の互いに対向する第二の側面４８Ｅ，４８Ｆの少なくとも一面に光源４４から出射された光を反射する反射部を有していることを特徴としている。【選択図】図４
2007317653.tif 000002
【特許請求の範囲】
【請求項１】
光源から一方の主面に入射された光が他方の主面から出射される導光部材であって、隣接する側面同士を互いに突き合わせて併設された複数の分割体により一枚の板状の導光部材となされ、前記複数の分割体の個々の互いに対向する第一の側面が略平行四辺形形状であり、前記複数の分割体の個々の互いに対向する第二の側面の少なくとも一面に前記光源から出射される光を反射する反射部を具備することを特徴とする導光部材。
【請求項２】
前記複数の分割体の個々の互いに対向する第二の側面が略長方形形状であることを特徴とする請求項１に記載の導光部材。
【請求項３】
前記複数の分割体の個々の互いに対向する第二の側面が略平行四辺形形状であることを特徴とする請求項１に記載の導光部材。
【請求項４】
前記複数の分割体の個々の互いに対向する第一の側面の少なくとも一面に前記光源から出射される光を反射する反射部を具備することを特徴とする請求項３に記載の導光部材。
【請求項５】
前記分割体の前記一方の主面には、光を反射する反射部が形成されていることを特徴とする請求項１に記載の導光部材。
【請求項６】
前記複数の分割体の個々の互いに対向する第二の側面の両面に前記光源から出射される光を反射する反射部を具備することを特徴とする請求項１に記載の導光部材。
【請求項７】
前記複数の分割体の個々の互いに対向する第二の側面の両面に前記光源から出射される光を反射する反射部を具備するとともに、前記複数の分割体の個々の互いに対向する第一の側面の両面に前記光源から出射される光を反射する反射部を具備することを特徴とする請求項４に記載の導光部材。
【請求項８】
前記光源が発光ダイオードであることを特徴とする請求項１に記載の導光部材。
【請求項９】
請求項１〜８のいずれかに記載の導光部材と、
光源と、
前記光源を配列する基板と、を有することを特徴とする面光源装置。
【請求項１０】
前記光源が前記複数の分割体の前記第二の側面の投影領域内に含まれる範囲に配置されていることを特徴とする請求項９に記載の面光源装置。
【請求項１１】
請求項３，４，７のいずれかに記載の導光部材と、
光源と、
前記光源を配列する基板、とを有し、
前記光源が前記複数の分割体の前記第一の側面かつ前記第二の側面の投影領域内に含まれる範囲に配置されていることを特徴とする面光源装置。
【請求項１２】
請求項９〜１１のいずれかに記載の面光源装置をバックライトとして用いることを特徴とする表示装置。
【請求項１３】
表示部が液晶パネルであることを特徴とする請求項１２に記載の表示装置。
【発明の詳細な説明】
【技術分野】
【０００１】
本発明は、光源、例えば、発光ダイオードを液晶用バックライトの光源として使用する場合に用いられる導光部材（板）およびこの部材（板）を用いた面光源装置、ならびに表示装置に関する。
【背景技術】
【０００２】
従来、液晶ディスプレイ用のバックライト光源としては、冷陰極管を筐体の端面に配置したいわゆるエッジライト型のものが主流であった。（例えば特許文献１参照）
図６は、このような冷陰極管を用いたエッジライト型の従来のバックライト光源を示したものである。すなわち、このバックライト光源は、細い線状発光素子である冷陰極管１０２と、この冷陰極管１０２から出射された光を面状に広げ、液晶パネル１０４に向かって出射させるための導光板１０６とからバックライトが構成されるもので、冷陰極管１０２から出射された光は、導光板１０６の光取入面１０８から入射し、導光板１０６の出射面１１０及び反射面１１２で全反射を繰り返しながら、光取入面１０８と対向する面１１４に向かって進む。反射面１１２には、例えば凹凸形状が設けられており、光を面１１４方向へ導光させる導光部分と、出射面１１０方向に反射させる反射部分とがある。したがって、光取入面１０８から入射した光が反射面１１２上の反射部分に到達すると出射面１１０方向に反射され、出射面１１０を通って液晶パネル１０４に供給される。一方、反射面１１２の導光部分に到達した光は全反射されて光取入面１０８と対向する面１１４または光取入面１０８方向に導かれる。
【０００３】
このようなエッジライト型の表示装置では、輝度の向上および輝度の均一化を図る上では限界があるとともに、表示画面の大型化の要求に答えることが困難であった。
そこで、近年の大型液晶ディスプレイとして、直下型ライトの採用が検討されている。
【０００４】
しかしながら、直下型ライトとして上記のような冷陰極管１０２を用いた場合には、冷陰極管１０２が比較的大型であるため、液晶ディスプレイの厚みが厚くなってしまうとともに、冷陰極管１０２は、色再現性、応答性が良好でなく、残像現象が生じてしまうなどの問題もある。
【０００５】
一方、近年、発光効率が著しく向上し照明への応用が進んでいる発光素子の中で、特に発光ダイオード（ＬＥＤ：Light Emitting Diode、「ＬＥＤランプ」ともいう）を液晶ディスプレイ用のバックライト光源（面光源）として用いることが検討されている。
【０００６】
このような発光ダイオードを液晶ディスプレイ用のバックライト光源として用いれば、表示画面の大型化の要求にも答えることができるとともに良好な色再現性と高速応答性が実現でき、高品位な画質を達成することが期待されている。
【０００７】
図７は、このような発光ダイオードが直下型ライトとして採用された従来の液晶表示パネルにおける面光源装置の概略構成を示したものである（非特許文献１参照）。
この面光源装置１２０にあっては、発光源として複数の発光ダイオード１２２を列状に配列させた図示しない基板としてのＬＥＤ基板（実装基板）を筐体１２４の底面１２６に列状に配列し、光源としている。なお、図７では、発光ダイオードの横一列のみを示しているが、このような列は底面１２６に縦横に所定間隔置きに複数個配置されている。一方、筐体１２４の底面１２６および内側面は反射シート１２８で覆われている。さらに、発光ダイオード１２２から通常は１〜５ｃｍの距離を隔てて拡散板１３０とプリズムシート１３２とが配列されている。
【０００８】
そして、発光ダイオード１２２を発光させると、出射された光は直接または反射シート１２８によって反射されて拡散板１３０に向かい、この拡散板１３０内で乱反射され、次いでプリズムシート１３２を通過することで、垂直方向に光線が傾けられ、液晶パネル１３４に入射する。異なる発光ダイオード１２２から出射した光は、拡散板１３０との間の空間で混じりあい、さらに拡散板１３０内で乱反射することにより混合が促進され、これによって輝度と色度が均一化される。また、一般に発光ダイオード１２２の直上に相当する部分の輝度は高くなるので、拡散板１３０において、当該部分の拡散度を高くすることにより、輝度の均一化をいっそう高めることができる。
【０００９】
しかしながら、従来の発光ダイオードを用いた面光源装置１２０にあっては、上記のように輝度及び色度を均一化させるため、拡散板１３０を設け、かつ発光ダイオード１２２と拡散板１３０との距離をあけているが、それでも発光ダイオード１２２の直上部分での輝度が高くなるという問題があった。特に単色の発光ダイオードではなく複数色（ＲＧＢ）の発光ダイオードを用いて混色する場合には、混色が十分でなく、場合によっては色むらが見えてしまう。そこで、輝度むら及び色むらを低減するために、上記のように拡散板１３０において発光ダイオード１２２の直上に相当する部分の拡散度を更に高くしたり、あるいはいわゆるライティング・カーテンをＬＥＤランプ直上部に設けて直上部の輝度を低下させたりすることが行なわれる場合もある。しかし、これらの手段は光の利用効率の低下を招いている。また発光ダイオード１２２と拡散板１３０の間の距離を一層大きくすれば、輝度むら及び色むらは低減できるが、これはバックライトの厚さの増大を招き、フラットパネルディスプレイにとっては好ましいものではない。
【特許文献１】特開２００４−１１７４１３号公報
【非特許文献１】ＴＥＣＨＮＯ−ＦＲＯＮＴＩＥＲ ＳＹＭＰＯＳＩＵＭ ２００５  熱設計・対策技術シンポジウム、２００５年４月２０日（社団法人日本能率協会）、Ｓession Ｇ３  放熱実装の最新設計事例I (p.Ｇ３-３-１〜Ｇ３−３−４)
【発明の開示】
【発明が解決しようとする課題】
【００１０】
本発明は、このような状況に鑑みてなされたもので、例えば、発光ダイオードを用いた場合に発光ダイオードの直上部に位置する部分の輝度が高いことによる輝度むらを低減して内面の輝度の均一化を図ることができ、しかも面光源装置（バックライト）の小型化に寄与する導光部材および面光源装置、ならびに表示装置を提供することを目的の一つとしている。
【課題を解決するための手段】
【００１１】
本発明者らは、上記課題を解決するため本発明の導光部材およびこの導光部材を用いた面光源装置、ならびに表示装置を見出した。
すなわち、本発明は例えば以下の（１）〜（１３）の態様を含む。
（１）  光源から一方の主面に入射された光が他方の主面から出射される導光部材であって、隣接する側面同士を互いに突き合わせて併設された複数の分割体により一枚の板状の導光部材となされ、前記複数の分割体の個々の互いに対向する第一の側面が略平行四辺形形状であり、前記複数の分割体の個々の互いに対向する第二の側面の少なくとも一面に前記光源から出射される光を反射する反射部を具備することを特徴とする導光部材。
（２）  前記複数の分割体の個々の互いに対向する第二の側面が略長方形形状であることを特徴とする前記（１）に記載の導光部材。
（３）  前記複数の分割体の個々の互いに対向する第二の側面が略平行四辺形形状であることを特徴とする前記（１）に記載の導光部材。
（４）  前記複数の分割体の個々の互いに対向する第一の側面の少なくとも一面に前記光源から出射される光を反射する反射部を具備することを特徴とする前記（３）に記載の導
光部材。
（５）  前記分割体の前記一方の主面には、光を反射する反射部が形成されていることを特徴とする前記（１）に記載の導光部材。
（６）  前記複数の分割体の個々の互いに対向する第二の側面の両面に前記光源から出射される光を反射する反射部を具備することを特徴とする前記（１）に記載の導光部材。
（７）  前記複数の分割体の個々の互いに対向する第二の側面の両面に前記光源から出射される光を反射する反射部を具備するとともに、前記複数の分割体の個々の互いに対向する第一の側面の両面に前記光源から出射される光を反射する反射部を具備することを特徴とする前記（４）に記載の導光部材。
（８）  前記光源が発光ダイオードであることを特徴とする前記（１）に記載の導光部材。
（９）  前記（１）〜（８）のいずれかに記載の導光部材と、
光源と、
前記光源を配列する基板と、を有することを特徴とする面光源装置。
（１０）  前記光源が前記複数の分割体の前記第二の側面の投影領域内に含まれる範囲に配置されていることを特徴とする前記（９）に記載の導光部材。
（１１）  前記（３），（４），（７）のいずれかに記載の導光部材と、
光源と、
前記光源を配列する基板、とを有し、
前記光源が前記複数の分割体の前記第一の側面かつ前記第二の側面の投影領域内に含まれる範囲に配置されていることを特徴とする面光源装置。
（１２）  前記（９）〜（１１）のいずれかに記載の面光源装置をバックライトとして用いることを特徴とする表示装置。
（１３）  表示部が液晶パネルであることを特徴とする前記（１２）に記載の表示装置。
【発明の効果】
【００１２】
本発明の導光部材によれば、大型表示装置であっても、複数の分割体により導光部材を構成しているので、大型化の達成が可能である。また、一部の分割体が壊れた場合などのメンテナンス性も良好である。
【００１３】
さらに、発光ダイオードなどの光源から照射されてきた光を、分割体の一方の傾斜面（第二の側面）で横方向に反射させることができるので、光源の直上では光の透過量を少なくすることができる。したがって、面光源装置などに用いた場合に、光源直上部の輝度が減少するので、輝点や色度の著しいずれをなくすことができる。
【００１４】
また、上記傾斜面で横方向に反射された光は、分割体の一方の傾斜面(第二の側面)と対向する他方の傾斜面（第二の側面）に直接設けられた反射部および/または他方の傾斜面
（第二の側面）に突き合わされる隣接の分割体の一方の傾斜面（第二の側面）に設けられた反射部により、出射面側に供給され、ここから輝度むらの少ない白色光として出射することができる。
【００１５】
特に、液晶ディスレイのバックライトとして本発明の面光源装置を用いれば、薄型で高画質を得ることができる。
【発明を実施するための最良の形態】
【００１６】
以下、本発明に係る導光板およびこの導光板を用いた面光源装置、ならびに表示装置について図面を参照しながら詳細に説明する。なお、本発明は以下の実施の形態に限定されるものではない。
【００１７】
図１は、本実施の形態が適用される液晶表示装置の一例の全体構成を示す図である。本
実施の形態が適用される液晶表示装置は、直下型の面光源装置（バックライト）１０として、発光部を収容するバックライトフレーム（筐体）１１と、発光源として固体発光素子である発光ダイオード（ＬＥＤ）１３を複数個配列させた基板としてのＬＥＤ基板（実装基板）１２とを備えている。また、バックライト装置１０は、ＬＥＤ基板（実装基板）１２上にバックライトフレーム（筐体）１１内に収容される本発明の特徴である導光部材（板、シート）１４を備えている。図７に示した従来の直下型バックライト装置との相違は、発光ダイオードと拡散部材（板、シート）との空間に導光部材が介在する点であり、バックライトの厚みが増すことはなく、むしろ発光ダイオードと拡散部材（板、シート）との間隔を小さくすることができる。導光部材の上に光学補償シートの積層体として、面全体を均一な明るさとするために光を散乱・拡散させる拡散部材（板、シート）１５と、前方への集光効果を持たせた回折格子フィルムであるプリズムシート１６，１７とを備えている。また、液晶表示モジュール３０として、２枚のガラス基板により液晶が挟まれている液晶パネル３１と、この液晶パネル３１の各々のガラス基板に積層され、光波の振動をある方向に制限するための偏光板（偏光フィルタ）３２，３３とを備えている。更に、液晶表示装置には、図示しない駆動用ＬＳＩなどの周辺部材が配置される。
【００１８】
この液晶パネル３１は、図示しない各種構成要素を含んで構成されている。例えば、２枚のガラス基板に、図示しない表示電極、薄膜トランジスタ（ＴＦＴ：Thin Film Transistor）などのアクティブ素子、液晶、スペーサ、シール剤、配向膜、共通電極、保護膜、カラーフィルタ等を備えている。
【００１９】
図２は本発明の一実施形態に係る導光部材と、この導光部材が採用された面光源装置の概略を示した平面図である。なお、本明細書において、上下左右などは説明の都合上便宜的に用いたもので、例えば、図４においてＬＥＤランプ４４から見て分割体４８側を「上」とし、図３において一方の端部４８ａを「右」、他方の端部４８ｂを「左」とする。
【００２０】
この導光部材を備えた面光源装置４０は、例えば、略矩形状の大型液晶ディスプレイのバックライトとして好適に使用されるものである。
図２に示したように、この面光源装置４０は、略矩形状の筐体４２と、光源となる複数個の発光色の異なるＬＥＤ素子（赤色ＬＥＤ、緑色ＬＥＤおよび青色ＬＥＤ）を纏めて一つとしたＬＥＤランプ４４と、これらＬＥＤランプ４４を載置する基板４６と、基板４６の上方域を覆うように配置された複数個の分割体４８、４８、…と、から構成されている。この分割体４８は、図３に示したように、主面である二面４８Ａ，４８Ｂと、互いに対向する第一の側面である二面４８Ｃ、４８Ｄと、互いに対向する第二の側面である二面４８Ｅ，４８Ｆと、の六面を有している。このように、本実施形態の面状に広がる大型導光部材は、六面体である複数個の分割体４８、４８、…とから構成されている。
【００２１】
上記基板４６には、図４に示したように溝４５が所定間隔置きに形成され、これらの溝４５内に複数個のＬＥＤランプ４４が直線状に一列配置されているが、勿論１つの溝４５内に２列以上並んで配置されていても良い。また、このような大型の基板４６に代えて、小型に分割された複数個の基板を所定位置に配列しても良い。
【００２２】
基板４６としては、熱伝導性の良好な金属（例えば、アルミニウムあるいは銅等）や、プリント配線板を例示することができる。
一方、面状の導光部材を構成する複数個の分割体４８は、図３に示したように、矢印Ａ方向からの側面視において平行四辺形（第一の側面４８Ｃ）であり、全体として板状に形成されている。そして、図３に示した分割体４８が、図４に示したように、第二の側面（４８Ｅ，４８Ｆ）で互いに突き合わされていくことにより、大型で面状に広がる導光部材７０が構成される。このように面方向に互いに突き合せていくことにより、一方の端部４８ａの上に隣接する他の分割体４８の他方の端部４８ｂが隙間無く重ね合わされる。
【００２３】
ここで、第二の側面４８Ｅ，４８Ｆは長方形形状を有している。
このように、本実施形態の面光源装置４０では、導光部材７０を構成する複数個の分割体４８が、図２および図４に示したように、面状に広がる大型の基板４６の上に順次並べられるとともに、ＬＥＤランプ４４は、分割体４８の一方の端部４８ａの傾斜面（第二の側面４８Ｆ）に対向して、換言すると傾斜面（第二の側面４８Ｆ）の投影領域内に含まれる範囲の分割体下に配置されている。
【００２４】
なお、図３および図４に示したように、分割体４８の一方の端部４８ａおよび他方の端部４８ｂの傾斜角はαである。
ここで、分割体４８の一方の端部４８ａの傾斜面（４８Ｆ）は、例えば、ＬＥＤランプ４４から照射されてきた光を反射する反射部を具備している。この反射部は、アルミニウムなどを蒸着することにより形成することもできるが、蒸着の代わりにアルミニウムテープなどを貼付しても良い。また、メッキで形成したり、あるいは白色インク塗装により形成することもできる。また、他方の端部４８ｂの背面側（第二の側面４８Ｅ）もアルミニウムテープを貼付するなどして反射部となっている。すなわち、この第二の側面４８Ｆが反射部とされることにより、分割体４８の内部を横方向に導かれてきた光（図４において右方から左方に向かって導かれてきた光）を、図４において破線の矢印で示したように、上方に反射させる。なお、光源直上での透過量はゼロであることが好ましい。
【００２５】
また、この実施形態では、互いに対応する第二の側面４８Ｅ，４８Ｆの両面に光の反射部を設けているが、少なくとも第二の側面４８Ｆが光の反射部であれば良い。
図４に示したように、本実施形態において溝４５内は、空間のままであっても良い。
【００２６】
さらに、このような導光部材７０では、ＬＥＤランプ直上部以外の分割体４８の下面（一方の主面４８Ｂ）および基板４６の上面の少なくとも一方に、反射部５２が配置されている。このような反射部５２を配設または塗装などにより形成すれば、分割体４８の出射面における輝度の向上および均一化が促進される。
【００２７】
また、上記構成の面光源装置４０では、分割体４８の輝度が最も高くなるＬＥＤランプ４４の直上位置が傾斜面（第二の側面４８Ｆ）となっているため、ここに照射された光を図４に矢印で示したように、横方向に導くことができる。よって、ＬＥＤランプ直上部で輝度が高くなることが抑制され、導光部材の輝度むらを効率的に低下させることができる。
【００２８】
本実施形態による導光部材７０およびこの導光部材７０を使用した面光源装置４０は上記のように形成されているが、以下に作用について説明する。
例えば、このような面光源装置４０は、液晶ディスプレイのバックライトとして使用される。
【００２９】
ＬＥＤランプ４４に電圧が印加されると、そのＬＥＤランプ４４から発光された光が直接あるいは溝４５内壁で反射され上方に向かう。そして、一方の端部４８ａの傾斜面（第二の側面４８Ｆ）に入射された光は、図４に実線の矢印で示したように横方向（左方向）に反射され、分割体４８の内部側方に導かれる。これにより、ＬＥＤランプ４４から直上に進もうとする照射光が横方向に分散させる。よって、ＬＥＤランプ４４の直上部の輝度を低減できる。
【００３０】
なお、分割体４８の内部を横方向（分割体４８の一方の端部４８ａから他方の端部４８ｂに向かう方向）に導かれた光は、輝度を徐々に低減させながら分割体４８の傾斜面（第二の側面４８Ｅ）に案内され、ここで反射されるので破線の矢印で示したように、上方向
に導かれる。そのためＬＥＤランプ直上部で輝度が著しく低下することはない。
【００３１】
ここで、第二の側面４８Ｅ，４８Ｆの傾斜角度αは適宜選択することができるが、好ましくは１０〜４５度である。
このようにして、全てのＬＥＤランプ４４の直上において、ＬＥＤランプ４４からの光を横方向に導くことができるので、液晶ディスプレイのバックライトとして面状に略均一な光を照射することが可能になる。また、本実施形態では、突合せ面に隙間がないので、不用意に光が外部に漏れることがなく、光のロスが無い。
【００３２】
以上、本発明の一実施形態について説明したが、本発明は、上記実施形態に何ら限定されない。
本発明による導光板７０およびこの導光板７０を用いた面光源装置４０によれば、ＬＥＤランプ４４の直上の部分の輝度を減少できるとともに、入射光を横方向に分散させることができるので、面全体の輝度の均一化を促進することができる。また、突合せ面に隙間が形成されていないことから不用意に光が漏れることが無い。
【００３３】
また、上記実施形態では、基板４６は連続した一つの板体であるが、分割体から構成されていても良い。
さらに、上記実施形態では、各基板４６の上面に溝４５を設け、この溝４５内にＬＥＤランプ４４を設置しているが、本発明はこれに限定されず、平坦に形成された基板４６上にＬＥＤランプ４４を配置することもできる。
【００３４】
また、上記実施形態では、発光色の異なるＬＥＤ素子を纏めて一つとしたＬＥＤランプ４４を使用した場合を例示したが、ＬＥＤランプ４４は単色であっても良い。発光色の異なるＬＥＤ素子を使用する場合は、赤色、緑色、青色の３色の場合に限定されるものではない。
【００３５】
さらに、上記実施形態では、ＬＥＤランプ４４が直線上に配置されている例を示したが、これらＬＥＤランプは必ずしも直線上に配置されていなくても良い。千鳥状であったり、直線から多少ずらして設けることもできる。
【００３６】
また、上記実施形態では、図３に示したように、分割体４８が矢印Ａ方向で見た場合の側面視において平行四辺形としているが、周囲四側面が傾斜角αまたはβの平行四辺形である図５のような分割体５０であっても良い。
【００３７】
すなわち、この実施形態の分割体５０では、第一の側面５０Ｃ，５０Ｄのみならず、第二の側面５０Ｅ，５０Ｆが、それぞれ平行四辺形に形成されている。このような分割体５０を用いる場合は、これらの分割体５０がＸ方向、Ｙ方向の二方向に並べられると良い。
【００３８】
また、これらＸ方向、Ｙ方向の二方向に並べられて平面状に広がる各分割体５０に対する光源の配設位置は、第一の側面５０Ｃの投影領域内に含まれる範囲の分割体下に配置されれば良いが、第二の側面５０Ｆの投影領域内に含まれる範囲の分割体下に配置しても良い。また、傾斜角α、βは、ともに１０〜４５度の範囲であることが好ましい。
【００３９】
さらに、光の反射部は、第一の側面の少なくとも一方側５０Ｃ、あるいは第二の側面の少なくとも一方側５０Ｆに設けられていれば良い。光源は反射部が設けられている少なくとも一つの側面の投影領域内に含まれる範囲の分割体下に配置されれば良い。特に第一の側面の少なくとも一方側５０Ｃ，かつ第二の側面の少なくとも一方側５０Ｆに反射部を設け、両方の反射部が設けられた両側面の投影領域内に含まれる範囲の分割体下に光源を配置することで光源の光をＸ，Ｙ両方向に分散させることができ好ましい。
【００４０】
なお、本明細書において、単に「反射部」という文言は、白色インクを塗装した場合のように乱反射である場合と、アルミニウムテープを貼着、あるいはアルミニウムをメッキした場合のように正反射である場合の両方を含んでいる。本発明の場合、反射部は、乱反射である方がより好ましい。
【図面の簡単な説明】
【００４１】
【図１】図１は本発明の一実施形態が適用される液晶表示装置の一例の全体構成を示す図である。
【図２】図２は本発明の一実施形態に係る導光板が採用された面光源装置の一部を示した平面図である。
【図３】図３は図２に示した導光部材を構成する分割体の模式的斜視図である。
【図４】図４は図２におけるＡ−Ａ線方向の部分拡大断面模式図である。
【図５】図５は本発明の他実施形態に係る導光部材を構成する分割体の模式的断面図である。
【図６】図６は従来のエッジライト型の光源を用いた面光源装置の概略図である。
【図７】図７はＬＥＤランプを用いた従来の面光源装置の断面図である。
【符号の説明】
【００４２】
１０    面光源装置（バックライト）
１１    バックライトフレーム
１２    ＬＥＤ基板（実装基板）
１３    発光ダイオード（ＬＥＤ）
１４    導光部材（板、シート）
１５    拡散部材（板、シート）
１６    プリズムシート
１７    プリズムシート
３０    液晶表示モジュール
３１    液晶パネル
３２    偏光板（偏光フィルタ）
３３    偏光板（偏光フィルタ）
４０    面光源装置
４２    筐体
４４    ＬＥＤランプ
４６    基板
４８    分割体
４８ａ  一方の端部
４８ｂ  他方の端部
４８Ａ  他方の主面
４８Ｂ  一方の主面
４８Ｃ，４８Ｄ  第一の側面
４８Ｅ，４８Ｆ  第二の側面
５０    分割体
５０Ａ  他方の主面
５０Ｂ  一方の主面
５０Ｃ，５０Ｄ  第一の側面
５０Ｅ，５０Ｆ  第二の側面
５２    反射部
７０    導光部材（板、シート）
【図１】
2007317653.tif 000003
【図２】
2007317653.tif 000004
【図３】
2007317653.tif 000005
【図４】
2007317653.tif 000006
【図５】
2007317653.tif 000007
【図６】
2007317653.tif 000008
【図７】
2007317653.tif 000009